(57)【特許請求の範囲】
【請求項１】
錠本体の固定部材１０Ａの内壁に沿って摺動する可動部材１２Ａと、この可動部材の区画された各貫通状収容部１３Ａにそれぞれ内装され、かつ、その一側面中央部が各弾発性部材１５Ａの端部にそれぞれ支持された状態でキープレート用案内区画部２７側に常時当接するように付勢された複数個のタンブラー１４Ａとを備え、普通の状態では、各タンブラー１４Ａは各弾発性部材１５Ａのバネ力により浮上して可動部材１２Ａの移動を阻止し、正規のキープレート７を可動部材１２Ａに差し込んだ場合には、各タンブラー１４Ａはそれぞれ各弾発性部材１５Ａのバネ力に抗して水平状態に固定部材１０Ａの水平案内部４２の位置までバランス良く水平下降し、一方、正規でないキープレート７Ａを可動部材１２Ａに差し込んだ時は、少なくとも１つのタンブラー１４Ａは弾発性部材１５Ａを支点にシーソー式に傾倒し、当該タンブラー１４Ａの左右の係合部１４ｃ，１４ｃは、固定部材１０Ａの水平案内部４２に連通する係合溝に入り込むことを特徴とするケース類の錠本体の施解錠機構。
【請求項２】
請求項１に於いて、正規でないキープレート７を可動部材１２Ａに差し込んだ時、シーソー式に傾倒した当該タンブラー１４Ａの左右の係合部１４ｃ，１４ｃは、固定部材１０Ａを構成するアンダープレート４１の上方係合溝４３と下方係合溝４４とにそれぞれ入り込むことを特徴とするケース類の錠本体の施解錠機構。
【請求項３】
請求項１に於いて、タンブラー１４Ａの水平板部３５の中央部には、可動部材１２Ａの案内仕切壁部２６に形成した係合溝１２ａと係合する突起軸１４ｅが形成されていることを特徴とするケース類の錠本体の施解錠機構。
【請求項４】
請求項１に於いて、固定部材１０Ａは、錠本体６のフレームを形成する固定部材本体４０と、この固定部材本体４０の内に固定されたアンダープレート４１とから成り、このアンダープレート４１の左右の対向壁部４１ａ，４１ａには水平案内部４２と、この水平案内部４２と連通する上方係合溝４３並びに下方係合溝４４がそれぞれ所要間隔を有して形成されていることを特徴とするケース類の錠本体の施解錠機構。
【請求項５】
請求項１に於いて、タンブラー１４Ａは、上面に鍵違い用摺動部１４ｂを有する水平板部３５と、この水平板部３５の両端部に連設し、かつ、固定部材１０Ａの係合溝４３，４４と係脱する左右の係合部１４ｃ，１４ｃとを有し、前記水平板部３５の下面中央部には、バネ用嵌合穴１４ｄが形成されていることを特徴とするケース類の錠本体の施解錠機構。
【請求項６】
錠本体の固定部材１０Ａの内壁に沿って摺動する可動部材１２Ａと、この可動部材の区画された各貫通状収容部１３Ａにそれぞれ内装され、かつ、その一側面中央部が各弾発性部材１５Ｂの端部にそれぞれ支持された状態でキープレート用案内区画部２７側に常時当接するように付勢された複数個のタンブラー１４Ｂとを備え、普通の状態では、各タンブラー１４Ｂは各弾発性部材１５Ｂのバネ力により傾倒状態で浮上して可動部材１２Ａの移動を阻止し、正規のキープレート７を可動部材１２Ａに差し込んだ場合には、各タンブラー１４Ｂはそれぞれ各弾発性部材１５Ｂのバネ力に抗して水平状態に固定部材１０Ａの水平案内部４２の位置までバランス良く下降し、一方、正規でないキープレート７Ａを可動部材１２Ａに差し込んだ時は、少なくとも１つのタンブラー１４Ｂは弾発性部材１５Ｂを支点に相変わらず傾倒状態のままであり、当該タンブラー１４Ｂの左右の係合部１４ｃ，１４ｃは、固定部材１０Ａの水平案内部４２に連通する係合溝に係合していることを特徴とするケース類の錠本体の施解錠機構。
【請求項７】
請求項６に於いて、タンブラー１４Ｂの中心部に形成されたバネ用嵌合孔１４ｄは凹所状であり、弾発性部材１５Ｂに支持されているタンブラー１４Ｂの凹所状の内壁面３６Ｂは、バネ用ベース部材２９に対して傾斜状に形成されていることを特徴とするケース類の錠本体の施解錠機構。
【発明の詳細な説明】
【０００１】
【発明の属する技術分野】
本発明はケース類の錠本体の施解錠構に関し、特に旅行の際に使用されるスーツケース或いはトランク等ケース類に用いられる錠本体をキープレート（長板状の係合キーの意味）を用いて解錠する場合に適するケース類の錠本体の施解錠機構に関する。
【０００２】
【従来の技術】
錠本体の施解錠構の一例は、例えば実公平７−１５９７６号公報に示されている。この公報に記載の実施例の基本的構成は、錠本体の外枠等を形成する固定部材と、この固定部材の内側に設けられかつ固定部材の内壁に沿って水平移動する可動部材と、この可動部材にバネ部材に付勢されながら遊嵌し、該可動部材と前記固定部材とをロック状態に係止する複数個のタンブラ―（可動障害子をいう）とから成っている。そこで、図１９乃至図２３を参照に従来の技術を説明する。なお、説明，対比等の便宜上、前記公報で説明した実施例の符号をそのまま使用する。
【０００３】
１０は内壁に断面台形状のスライド溝１１を有する固定部材である。前記スライド溝１１は左右に傾斜面１１ａ、１１ｂが現れるように形成され、かつ、所要間隔で複数個設けられている。１２は固定部材１０の内壁側にプレート状鍵１の解錠操作（押込み）により水平移動するブロック或いは板状可動部材である。この可動部材１２には第１９図で示すように貫通状収容部１３が形成されている。区画された各収容部１３は可動部材１２の幅方向に２個のタンブラ―１４、１４を１個の弾発性部材１５を介して対称的に遊嵌させることができるように設けられ、かつ可動部材１２の長手方向に所要間隔を有して複数個形成されている。タンブラ―１４は、可動部材１２の収容部１３に固定部材１０の内壁に形成された係合溝１６と係合するように弾発性部材１５に付勢されながら遊嵌している。
【０００４】
そして、タンブラ―１４の一側上面には、鍵１の解錠操作により可動部材１２が固定部材１０の内壁に沿って移動する際にスライド溝１１の左側の傾斜面１１ａを摺動する突起状第１摺動部１４ａが形成され、また該第１摺動部１４ａが形成された反対側の一側下面には該第１摺動部１４ａが前記傾斜面１１ａを摺動する際に鍵１の嵌合孔１７の内周縁17ａと摺接し、タンブラ―１４を前記固定部材１０との係合を解除する方向へ移動させる円錐状の第２摺動部１４ｂが形成されている。
【０００５】
またタンブラ―１４の第２摺動部１４ｂが形成された面と直交する外周側壁の一側面には、前述した固定部材１０の係合溝１６と係合する突起状の第１係合部１４ｃが形成され、さらに、該第１係合部１４ｃが形成された反対側の側面には、弾発性部材１５の一方端部を嵌挿するバネ用嵌合穴１４ｄが設けられている。１８は施解錠装置の外枠の一部を形成する外壁である。
【０００６】
上記構成に於いて、施錠状態の場合には、タンブラ―１４は弾発性部材１５に付勢され、タンブラ―１４の第１係合部１４ｃが固定部材１０の係合溝１６内に位置している。したがって、可動部材１２はタンブラ―１４を介し固定部材１０にロックされた施錠状態となる。このような施錠状態において、鍵１を、その嵌合孔１７を有する側から可動部材１２の鍵挿入部に挿入する。鍵１の嵌合部１７を鍵挿入部内に挿入した場合、図２３で示すようにタンブラ―１４の第２摺動部１４ｂの中心が鍵１の嵌合孔１７の内周縁１７ａ近く位置するよう設定されている。
【０００７】
そこで、鍵１をさらに押し付けると、可動部材１２は鍵１の挿入先端に押され、鍵１と共に矢印方向へ多少移動する。そうすると、タンブラ―１４の第１摺動部１４ａが固定部材１０の左側の傾斜面１１ａと突き当たり、それと同時にタンブラ―１４の第２摺動部１４ｂが鍵１の嵌合部１７の右側内周縁１７ａと突き当たる。そして、さらに鍵１を押し付けて可動部材１２を水平方向へ移動させると、タンブラ―１４の第１摺動部１４ａはスライド溝１１の傾斜面１１ａをスライドし、タンブラ―１４は垂直方向へ下降する。一方、タンブラ―の下降に伴いタンブラ―１４の第２摺動部１４ｂが鍵１の嵌合部１７の内周縁１７ａと摺動し、前記内周縁１７ａが第２摺動部１４ｂのテ―パ―面を徐々に捨（摺）ってゆく関係となり、タンブラ―１４は図２３で示すように鍵１の移動する矢印Ａ方向と直交する矢印Ｂ方向へ弾発性部材１５の付勢力に抗しながら後退する。したがって、タンブラ―１４の第１係合部１４ｃは固定部材１０の係合溝１６から序々に離れ、その結果、タンブラ―１４と固定部材１０との係合が解除された解錠状態となる。
【０００８】
このように解錠状態になった場合には、タンブラ―１４の第１摺動部１４ａは、固定部材１０のスライド溝１１から抜けて平な内壁１０ａに位置し、一方、その第２摺動部１４ｂは鍵１の嵌合部１７に嵌合し、さらに、第１係合部１４ｃは固定部材１０の係合溝１６から完全に脱けた状態となる。
【０００９】
したがって、従来の実施例は、鍵１の解錠または施錠操作で可動部材１２を水平移動させ、それによって可動部材１２の収容部１３内に遊嵌された複数個のタンブラ―を上下および水平の二方向へ同時移動させ、固定部材１０と可動部材のロックの解除を図ることができる。
【００１０】
【発明が解決しようとする課題】
従来の実施例は、図１９で示すように可動部材１２の収容部１３に収容された各タンブラ―１４がそれぞれ別体（分離型）であり、多数の鍵違いを得る為には、突起（第２摺動部１４ｂ）の位置が異なる多数のタンブラ―１４をそれぞれ製作する必要がある。しかし、タンブラーの形態や製造数が多くなればなるほどコストが高くなってしまう。また従来の実施例は、左右に対向配設された一対のタンブラ―１４，１４には弾発性部材１５を介在させる必要があるので、組み合わせが面倒であると言う問題点もあった（左右一対のタンブラ―と、これら左右のタンブラ―をつなぐ弾発性部材の３部品を組み合わせる必要がある）。
【００１１】
そこで、本願発明は、部品点数を少なくすることによるタンブラ―の製造コストの低減化、可動部材に対するタンブラ―の組込みの容易化、並びにタンブラ―の形態を工夫することによるタンブラ―の傾倒乃至水平作動のスムーズ化を図る点にある。また本発明は、錠本体を強力に揺さぶる，異形物を差し込む等をしながら各タンブラーの係合状態を解消させようと試みても、結局は、正規のキープレートを使用しないかぎり、錠本体を容易に解錠状態にすることができない施解錠機構を得ることを目的とする。
【００１２】
【課題を解決するための手段】
本発明のケース類の錠本体の施解錠機構は、錠本体の固定部材１０Ａの内壁に沿って摺動する可動部材１２Ａと、この可動部材の区画された各貫通状収容部１３Ａにそれぞれ内装され、かつ、その一側面中央部が各弾発性部材１５Ａの端部にそれぞれ支持された状態でキープレート用案内区画部２７側に常時当接するように付勢された複数個のタンブラー１４Ａとを備え、普通の状態では、各タンブラー１４Ａは各弾発性部材１５Ａのバネ力により浮上して可動部材１２Ａの移動を阻止し、正規のキープレート７を可動部材１２Ａに差し込んだ場合には、各タンブラー１４Ａはそれぞれ各弾発性部材１５Ａのバネ力に抗して水平状態に固定部材１０Ａの水平案内部４２の位置までバランス良く水平下降し、一方、正規でないキープレート７Ａを可動部材１２Ａに差し込んだ時は、少なくとも１つのタンブラー１４Ａは弾発性部材１５Ａを支点にシーソー式に傾倒し、当該タンブラー１４Ａの左右の係合部１４ｃ，１４ｃは、固定部材１０Ａの水平案内部４２に連通する係合溝に入り込むことを特徴とする。
【００１３】
また、本発明のケース類の錠本体の施解錠機構は、錠本体の固定部材１０Ａの内壁に沿って摺動する可動部材１２Ａと、この可動部材の区画された各貫通状収容部１３Ａにそれぞれ内装され、かつ、その一側面中央部が各弾発性部材１５Ｂの端部にそれぞれ支持された状態でキープレート用案内区画部２７側に常時当接するように付勢された複数個のタンブラー１４Ｂとを備え、普通の状態では、各タンブラー１４Ｂは各弾発性部材１５Ｂのバネ力により傾倒状態で浮上して可動部材１２Ａの移動を阻止し、正規のキープレート７を可動部材１２Ａに差し込んだ場合には、各タンブラー１４Ｂはそれぞれ各弾発性部材１５Ｂのバネ力に抗して水平状態に固定部材１０Ａの水平案内部４２の位置までバランス良く下降し、一方、正規でないキープレート７Ａを可動部材１２Ａに差し込んだ時は、少なくとも１つのタンブラー１４Ｂは弾発性部材１５Ｂを支点に相変わらず傾倒状態のままであり、当該タンブラー１４Ｂの左右の係合部１４ｃ，１４ｃは、固定部材１０Ａの水平案内部４２に連通する係合溝に係合していることを特徴とする。
【００１４】
上記構成に於いて、正規でないキープレート７Ａを可動部材１２Ａに差し込んだ時、シーソー式に傾倒した、或いは所定の位置にて相変わらず水平状態にならないタンブラー（１４Ａ，１４Ｂ）の左右の係合部１４ｃ，１４ｃが、固定部材１０Ａのアンダープレート４１の上方係合溝４３と下方係合溝４４とにそれぞれ入り込む（或いは係合している）ことを特徴とする。またタンブラー１４Ａの水平板部３５には、可動部材１２Ａの案内仕切壁部２６に形成した係合溝１２ａと係合する突起軸１４ｅが形成されていることを特徴とする。
【００１５】
【発明の実施の形態】
まず、図１乃至図３を参照に本発明の実施の形態を簡単に説明する。Ｘは主として旅行の際に使用されるスーツケースで、このスーツケースＸは、把手を有するケース体２と蓋体３とがある。４は前記ケース体２の上壁部２ａ左右に対向して取付けられた１対のケース類の錠である。左右の錠４，４は同一の構造をしており、前記上壁部２ａに固定的に取付けられた枠状の取付金具５と、この取付金具５に一端部側が適宜に軸支された錠本体６とから成る。本発明は、前記錠本体６の施解錠機構Ｙに特徴があり、図３で示すように、特にキープレート（長板状の係合キーの意味）７を錠本体６のキー挿入口８に挿入した際に於いて、前記キープレート７が正規であるならば複数個のタンブラー１４Ａを備えたブロック状可動部材１２Ａを錠本体内の復帰バネ９のバネ力に抗して後退させ、一方、キープレート７Ａが正規でないならば、ブロック状可動部材１２Ａはシーソー式に揺動する、或いは相変わらず傾倒状態のままである少なくとも１つ以上のタンブラー（可動障害子）により、その摺動が阻止される点に特徴がある。
【００１６】
次に図４乃至図１４は、錠本体６の施解錠機構Ｙを示す第１実施例である。この第１実施例も従来の実施例と同様に基本的な構成部材は同一である。したがって、説明の便宜上、同一の部材に関しては同一又は同様の符号を付してある。そこで、以下、これらの基本的部材を中心に説明をする。
【００１７】
図４は複数個（本実施例では３個）のタンブラー１４Ａを備えたブロック状可動部材１２Ａと、この可動部材１２Ａの一端部開口２０側から該可動部材１２Ａに差し込み挿入されるキープレート７と、前記可動部材１２Ａの他端部に形成された取付長孔２１に適宜に取付けられる係止鉤２２とをそれぞれ示してある。可動部材１２Ａは、図３で示すように錠本体６をフレーム等を構成する固定部材１０Ａに、その内壁に沿って摺動可能に組み込まれる。またキープレートの挿入先端部７ａには、正規のキー７ならばタンブラー１４Ａの鍵違い用摺動部１４ｂと符合する複数個（本実施例では５個）の係合孔２３が適宜に形成されている。また係止鉤２２は可動部材１２Ａに一体的に取付けられると、その鉤部が可動部材１２Ａの下面から突出する。この係止鉤２２は図３で示すように錠本体６から突出し、スーツケースＸの蓋体３と掛合するが、前述したように正規のキー７の挿入により、可動部材１２Ａが錠本体内を後退した場合には掛合状態が解消される。さらに、可動部材１２Ａの収容部１３Ａに組み込まれる各タンブラー１４Ａは、従来の実施例で説明したタンブラ―１４とは相違し、公園，遊園地等に設置されたシーソー板状に形成されている。本実施例のシーソー板状の各タンブラー１４Ａは、いわば左右に対向配設された従来のタンブラ―１４，１４を一体化した形態であるとも言える。
【００１８】
図５は合計３個のタンブラー１４Ａを並列的に備えた可動部材１２Ａの正面図である。また図６は図５に於いて、正規のキープレート７の挿入先端部７ａを可動部材１２Ａの一端部開口２０側から差し込んだ状態を示す。この場合シーソー式の各タンブラー１４Ａは傾倒せず、水平状態にそのまま下降している。さらに、図７は図５を基準とした可動部材１２Ａの底面図である。図８は可動部材１２Ａの概略断面図である。そして、図９はタンブラー１４Ａの一例を示す説明図である。
【００１９】
そこで、図４乃至図９を中心に本発明の特定要件（可動部材１２Ａ，タンブラー１４Ａ等）を説明する。まず可動部材１２Ａについて説明する。可動部材１２Ａは、前述したように固定部材１０Ａに摺動可能に内装される。また固定部材１０Ａは図４で示すように全体として普通一般のおもちゃのブロック状に形成されている。図４を基準にすると、その上面の一部は、一端部開口２０と連通する矩形状の開口２５が形成され、この開口２５からはタンブラー１４Ａの摺動部１４ｂが見える。そして、図６で示すように正規のキープレート７を可動部材１２Ａに差し込むと、前記摺動部１４ｂの一部又は全部がキープレート７の係合孔２３に係合する。
【００２０】
また本実施例の可動部材１２Ａも、従来の可動部材１２（図１９）と同様に区画された合計３個の貫通状収容部１３Ａが形成されている。しかしながら、本実施例の可動部材１２Ａが従来の可動部材１２と異なる点は、図８を基準にすると、貫通状収容部１３Ａを形成する区画部が、並列状態に区画された案内仕切壁部２６の左右両端上部にそれぞれ連設するキープレート用案内区画部２７と、弾発性部材（スプリング）１５Ａの下端部を支持し、かつ、前記各案内仕切壁部２６の下端部に形成された中央切欠部２８に固定的に横架されたバネ用ベース部材２９とを有することである。また可動部材１２Ａの各案内仕切壁部２６には、後述するタンブラー１４Ａに形成した突起軸１４ｅと係合する下向きＵ字型状の係合溝１２ａが適宜に形成されていることである（図１０参照）。
【００２１】
しかして、前記案内仕切壁部２６によって形成された下向きの切欠部３０からは、図７で示すようにタンブラー１４Ａの端部が突出し、また前記案内区画部２７は案内仕切壁部２６に対してアングル（交差）状に連設し、さらに、前記バネ用ベース部材２９の適宜箇所には、弾発性部材１５Ａの下端部を支持する合計３個の皿状バネ支持部３１が形成されている。なお、皿状バネ支持部３１には小孔が形成されている。
【００２２】
次にタンブラー１４Ａは、図４又は図９で示すように上面に突起状の鍵違い用摺動部１４ｂを有するものの、全体としてベンチ形状に形成されている。そして、前述したように各タンブラー１４Ａは、可動部材１２Ａの各貫通状収容部１３Ａにそれぞれ内装され、かつ、その下面中央部が各弾発性部材１５Ａの上端部にそれぞれ支持された状態でキープレート用案内区画部２７側に常時当接するように付勢されている。
【００２３】
ところで、第１実施例の各タンブラー１４Ａは、弾発性部材１５Ａにシーソー式にそれぞれ支持されており、異なるキープレート７Ａが可動部材１２Ａに差し込まれた場合には、可動部材１２Ａの係合溝１２ａを基準に左右いずれか一方に傾倒する。この点従来の２個のタンブラ―１４、１４が１個の弾発性部材１５を介して収容部１３内に対称的に遊嵌され、横方向に往復動するのとは相違する。
【００２４】
ここで、本実施例のタンブラー１４Ａの形状について、図９を基準に説明する。３５はタンブラー１４Ａの水平板部で、この水平板部３５の上面３５ａの適宜箇所には鍵違い用摺動部１４ｂ，１４ｂが複数個形成されている。これらの鍵違い用摺動部１４ｂの形状は異なる。１４ｄは水平板部３５の下面中央部に形成された下向き凹所状のバネ用嵌合穴である。このバネ用嵌合穴１４ｄに弾発性部材１５Ａの上端部が入込む。
【００２５】
ところで、前記バネ用嵌合穴１４ｄの弾発性部材１５Ａの上端部に支持される内壁面３６は、図１０で示すように水平板部３５の上面３５ａ又は下面３５ｂに対して水平である。
【００２６】
３７は水平板部３５の下面両端部に連設する左右一対の短脚部である。１４ｃは水平板部３５の両端部に連設するやや幅狭の係合部で、これらの係合部１４ｃ，１４ｃは、図７で示すように可動部材１２Ａの切欠部３０から突出する。タンブラー１４Ａの係合部１４ｃ，１４ｃは、後述するように錠本体６の固定部材１０Ａと係脱する。１４ｅは前記水平板部３５の中央部の両側壁にそれぞれ形成された突起軸で、これらの突起軸１４ｅは可動部材１２Ａの中心の係合溝１２ａに係合する。
【００２７】
図１０乃至図１５は、固定部材１０Ａとタンブラー１４Ａの係合部１４ｃ，１４ｃとの係脱関係を示す各説明図である。そこで、これらの図を参照に正規のキープレート７が可動部材１２Ａに差し込まれた場合とそうでない場合とを説明する。
【００２８】
まず図１０及び図１１は、キープレート７が可動部材１２Ａに差し込まれていない場合の概略説明図である。この場合タンブラー１４Ａは弾発性部材１５Ａのバネ力により上方に浮上している。各タンブラー１４Ａの係合部１４ｃは固定部材１０Ａに形成された各上方係合溝４３に係合或いは入り込んでいる。したがって、このような状態では可動部材１２Ａは水平方向へ摺動不可である。
【００２９】
ところで、本実施例の固定部材１０Ａは、錠本体６のフレームを形成する固定部材本体４０と、この固定部材本体４０の内壁に固定されたチヤンネル形状のアンダープレート４１とから成り、このアンダープレート４１の左右の対向壁部４１ａ，４１ａには、図１１で示すように水平案内部（切欠部や水平案内溝）４２が対向形成されている。そして、左右の対向壁部４１ａ，４１ａには、これらの水平案内部４２と連通するように上方係合溝４３と下方係合溝４４がそれぞれ所要間隔を有して形成されている。
【００３０】
次に図１２及び図１３は、正規のキープレート７が可動部材１２Ａに差し込まれた場合の概略説明図である。この場合キープレート７を最後まで差し込むことができる。各タンブラー１４Ａはそれぞれ各弾発性部材１５Ａのバネ力に抗して水平状態に水平案内部４２の位置までバランス良く水平下降する。したがって、図１３で示すように、各タンブラー１４Ａの係合部１４ｃ，１４ｃはアンダープレート４１の水平案内部４２内に浮いた状態となるので、可動部材１２Ａは正規のキープレート７の解錠（押込み）操作により、錠本体６の奥側に摺動する。その結果、係止鉤２２とスーツケースＸの蓋体３との掛合が解消される。
【００３１】
最後に図１４及び図１５は、正規でないキープレート７Ａを可動部材１２Ａに差し込んだ時の概略説明図である。この時キープレート７Ａを最後まで差し込むことができない。図１４で示すように一つのタンブラー１４Ａの摺動部１４ｂがキープレート７の係合孔２３に係合しないと、当該タンブラー１４Ａは弾発性部材１５Ａを支点に傾倒する。そうすると、当該タンブラー１４Ａの左右の係合部１４ｃ，１４ｃは、アンダープレート４１の上方係合溝４３と下方係合溝４４とにそれぞれ入り込んでしまう。
【００３２】
したがって、正規でないキープレート７Ａを可動部材１２Ａに押込んでも、傾倒したタンブラー１４Ａが障害となり、可動部材１２Ａは錠本体６の奥側に摺動しない。それ故に、係止鉤２２とスーツケースＸの蓋体３との掛合を解消することができない。
【００３３】
【実施例】
本発明の第１実施例に於いて、タンブラー１４Ａの水平板部３５の上面に形成系された鍵違い用摺動部１４ｂ，１４ｂの形状は、任意に形成することができる。要は、正規のキープレート７を可動部材１２Ａに差し込んだ時のみ、タンブラー１４Ａが水平バランスを保持しながら所定の位置まで下降できる形状であれば良い。
【００３４】
また、固定部材１０Ａは錠本体６のフレームを形成する固定部材本体４０と、この固定部材本体４０の内壁に固定されたチヤンネル形状のアンダープレート４１とから成るが、設計如何によってはアンダープレート４１に水平案内部４２を形成するのではなく、固定部材本体４０の内壁に水平案内部４２を形成することも可能である。
【００３５】
次に、図１６乃至図１８に示す本発明の第２実施例につき説明する。なお、この第２実施例の説明にあたって、第１実施例と同一の部分には、同一又は同様の符号を付して重複する説明を省略する。
【００３６】
この第２実施例において、第１実施例と主に異なる点は、普通或いは施錠状態の場合において、タンブラー１４Ｂは弾発性部材１５Ｂに傾倒状態に支持されていることである。すなわち、タンブラー１４Ｂのバネ用嵌合孔１４ｄは下向き凹所状である点は第１実施例と同様であるが、弾発性部材１５Ｂに支持される内壁面３６Ｂは、水平板部３５の上面３５ａ又は下面３５ｂ、或いはバネ用ベース部材２９に対して傾斜状に形成されている。
【００３７】
したがって、図１８で示すように、普通或いは施錠状態の場合には、少なくとも１つ以上のタンブラー１４Ｂは、弾発性部材１５Ｂの上端部に傾倒状態に支持されており、正規のキープレート７が挿入された場合のみバネ用ベース部材２９に対して水平状態になる。
【００３８】
このように構成すると、例えば錠本体を強力に揺さぶりながら正規でないキープレートでタンブラー１４Ｂの係合状態を解消させようと試みても、タンブラー１４Ｂは容易に傾倒状態から水平状態にならないので、結局は、正規のキープレート７でない限り、可動部材を容易に移動させることができないと言う利点がある。
【００３９】
【発明の効果】
本発明にあっては、各貫通状収容部１３Ａにそれぞれ内装される可動障害子は、それぞれ「１個」で済む。すなわち、タンブラーは比較的製造が難しくかつコスト高となる分離型ではなく、各弾発性部材１５Ａの端部にそれぞれシーソー式に支持された一体型なので、部品点数が少なくなる。したがって、タンブラ―の製造コストの低減化、可動部材に対するタンブラ―の組込みの容易化を図ることができる。
【００４０】
また正規のキープレート７を可動部材１２Ａに差し込んだ場合には、各タンブラー（１４Ａ，１４Ｂ）はそれぞれ各弾発性部材（１５Ａ，１５Ｂ）のバネ力に抗して水平状態に固定部材１０Ａの水平案内部４２の位置までバランス良く下降し、一方、正規でないキープレート７Ａを可動部材１２Ａに差し込んだ時は、タンブラーは可動部材の係合溝１２ａ或いは弾発性部材を支点にシーソー式にスムーズに傾倒し、或いは相変わらず傾倒状態のままであり、当該タンブラー（１４Ａ，１４Ｂ）の左右の係合部１４ｃ，１４ｃは、固定部材１０Ａの水平案内部４２に連通する係合溝と係合状態なので、施錠・解錠の確実化を図ることができる。
【００４１】
さらに、固定部材１０Ａが、錠本体６のフレームを形成する固定部材本体４０と、この固定部材本体４０の内に固定されたアンダープレート４１とから成る実施例の場合には、水平案内部４２並びに上方係合溝４３並びに下方係合溝４４を容易に形成することができる。
【図面の簡単な説明】
図１乃至図１５は、本発明の第１実施例を示す各説明図である。図１６乃至図１８は本発明の第２実施例を示す各説明図である。図１９乃至図２３は、従来の一例を示す各説明図である。
【図１】本発明の実施形態の一例を示す平面図。
【図２】錠本体の外観を示す平面図。
【図３】キープレートを錠本体に差し込んだ状態の概略説明図。
【図４】主要部の斜視からの概略説明図。
【図５】タンブラーを並列的に備えた可動部材の正面図。
【図６】図５に於いて、正規のキープレートを可動部材に差し込んだ状態を示す正面図。
【図７】図５を基準とした可動部材の底面図。
【図８】図５の８−８断面図。
【図９】タンブラーの一例を示す説明図。
【図１０】固定部材とタンブラーとの係脱関係を示す説明図（普通の状態）。
【図１１】図１０に於いて、固定部材の係合溝とタンブラーの係合部との係合状態を示す概略説明図。
【図１２】固定部材とタンブラーとの係脱関係を示す説明図（正規のキープレートを可動部材に差し込んだ状態）。
【図１３】図１２に於いて、固定部材の水平案内部とタンブラーの係合部との関係を示す概略説明図。
【図１４】固定部材とタンブラーとの係脱関係を示す説明図（正規でないキープレートを可動部材に差し込んだ場合）。
【図１５】図１４に於いて、固定部材の係合溝とタンブラーの係合部との関係を示す概略説明図。
【図１６】図１７に於いて、タンブラーの係合部の位置を示す概略説明図。
【図１７】施錠状態の場合におけるタンブラーの傾倒状態を示す概略説明図。
【図１８】図１７において、正規のキープレートを可動部材に差し込んだ場合のタンブラーの動きを示す概略説明図。
【図１９】従来の可動部材とタンブラーの説明図。
【図２０】鍵を錠本体に差し込んだ状態の概略説明図。
【図２１】固定部材の係合溝とタンブラーの係合部との関係を示す概略説明図。
【図２２】固定部材、可動部材、タンブラーの各関係を示す概略説明図。
【図２３】鍵の係合部とタンブラーの摺動部との関係を示す概略説明図。
【符号の説明】
Ｘ…ケース類、Ｙ…施解錠機構、２…ケース体、３…蓋体、５…取付金具、６…錠本体、７，７Ａ…キープレート、８…キー挿入口、９…復帰バネ、１０Ａ…固定部材、１２Ａ…可動部材、１２ａ…係合溝、１３Ａ…収容部、１４Ａ，１４Ｂ…タンブラー、１４ｂ…摺動部、１４ｄ…バネ用嵌合穴、１４ｃ…係合部、１４ｅ…突起軸、１５Ａ，１５Ｂ…弾発性部材、２０…一端部開口、２１…取付長孔、２２…係止鉤、２３…係合孔、２５…開口、２６…案内仕切壁部、２７…案内区画部、２８…中央切欠部、２９…バネ用ベース部、３０…切欠部、３５…水平板部、３６，３６Ｂ…内壁面、４０…固定部材本体、４１…アンダープレート、４１ａ…対向壁部、４２…水平案内部、４３…上方係合溝、４４…下方係合溝。
【図１】
0004169887.tif 000002
【図２】
0004169887.tif 000003
【図３】
0004169887.tif 000004
【図４】
0004169887.tif 000005
【図５】
0004169887.tif 000006
【図６】
0004169887.tif 000007
【図７】
0004169887.tif 000008
【図８】
0004169887.tif 000009
【図９】
0004169887.tif 000010
【図１０】
0004169887.tif 000011
【図１１】
0004169887.tif 000012
【図１２】
0004169887.tif 000013
【図１３】
0004169887.tif 000014
【図１４】
0004169887.tif 000015
【図１５】
0004169887.tif 000016
【図１６】
0004169887.tif 000017
【図１７】
0004169887.tif 000018
【図１８】
0004169887.tif 000019
【図１９】
0004169887.tif 000020
【図２０】
0004169887.tif 000021
【図２１】
0004169887.tif 000022
【図２２】
0004169887.tif 000023
【図２３】
0004169887.tif 000024